(57)【要約】      （修正有）【課題】ボトルなどの重たい物品と潰れやすい食料品などを上下に分けてバッグ内に収納でき、牽引走行が容易で、しかも詰め込み作業を容易に行える、食料品等を収納するのに好適なショッピングカートを提供する。【解決手段】ショッピングカートのバッグ２を下段バッグ部５と上段バッグ部６で構成し、下段バッグ部５の開口上面部５Ｃの開口縁部と上段バッグ部６の底面部６Ａの縁部を相対する一側辺の縁部において屈曲自在に連結７し、この連結部７を除いた下段バッグ部の開口上面部の開口周縁部と上段バッグ部の底面部の相対する周縁部に第一スライドファスナー８を周縁方向に沿って装着し、上段バッグ部６の物品出し入れ口を第二スライドファスナー１０で開閉可能な構成とした。下段バッグ部５は開口上面部を上にした物品収納可能な態様でレジかご内に着脱自在に組み入れられる大きさに形成した。【選択図】図１
0003177257.tif 000002
【実用新案登録請求の範囲】
【請求項１】
バッグの下部に該バッグを走行させる複数のホイールを設け、バッグの上部に該バッグをホイール走行で牽引可能とする持ち手部を設けたショッピングカートであり、前記バッグが、略方形の底面部と、この底面部を囲む四面の側面部をもち、上面を全面開口した開口上面部とした柔軟素材から成る下段バッグ部と、この下段バッグ部の前記開口上面部と相対する略同形の底面を有する底面部と、この底面部を囲む四面の側面部と、四面の側面部の上面を覆う上面部をもつ柔軟素材から成る上段バッグ部から成り、前記下段バッグ部の開口上面部の開口縁部と前記上段バッグ部の底面部の縁部を相対する一側辺の縁部において屈曲自在に連結し、この連結部を支点として下段バッグ部の開口上面部に対して上段バッグ部の底面部を反転可能な構成とし、この連結部を除いた下段バッグ部の開口上面部の開口周縁部と上段バッグ部の底面部の相対する周縁部に該周縁部を開閉可能とする第一スライドファスナーを周縁方向に沿って装着し、前記上段バッグ部に該上段バッグ部内に物品を出し入れする物品出し入れ口を形成し、この物品出し入れ口を第二スライドファスナーで開閉可能な構成とした、ショッピングカート。
【請求項２】
前記下段バッグ部は開口上面部を上にした物品収納可能な態様でレジかご内に着脱自在に組み入れられる大きさに形成した、請求項１に記載のショッピングカート。
【請求項３】
前記上段バッグ部の物品出し入れ口が、前記連結部とは反対側の上段バッグ部の一側面部を逆Ｕ字状の開口縁部に沿って全開又は半開の上開け状態に開閉できる構成とした、請求項１に記載のショッピングカート。
【請求項４】
前記下段バッグ部の内側面を保冷シート材で形成すると共に、前記上段バッグ部の底面部の外側面を保冷シート材で形成した、請求項１に記載のショッピングカート。
【請求項５】
前記連結部とは反対側の下段バッグ部の一側面部の下部に雄又は雌の第一留め具を取付け、前記連結部とは反対側の上段バッグ部の一側面部の上部に帯状片の一端部を固着し、この帯状片の自由端部に前記第一留め具に着脱可能に留められる雄又は雌の第二留め具を取付けた、請求項１に記載のショッピングカート。
【請求項６】
前記ホイールを前記バッグの底部下面に取付けると共に、前記バッグの底部下面に前記ホイールと協働して該バッグを自立可能とするスタンド部を設け、このホイールとスタンド部がホイール及びスタンド部として機能する起立状態から前記バッグの底部下面に向けて倒せる折り畳み可能な構成とした、請求項１に記載のショッピングカート。
【考案の詳細な説明】
【技術分野】
【０００１】
本考案は、ショッピングカートに係わり、特にボトルなどの重たい物や潰れやすい食料品などを入れる買物用のショッピングカートとして用いるのに好適なショッピングカートの改良に関する。
【背景技術】
【０００２】
バッグの下部に該バッグを走行させる複数のホイール（車輪）を設け、バッグの上部に該バッグをホイール走行で牽引可能とする持ち手部を設けたショッピングカートが使用されている。従来のショッピングカートは、バッグが実質的に一つの収納部で構成され、この収納部に買物した物を出し入れする出し入れ口も一つである（例えば、特許文献１のショッピングカート）。
【０００３】
このため、ボトルなどの重たい物品や潰れやすい食料品などが混在するスーパーなどの買物に用いるショッピングカートとしては不向きである。例えば、バッグ内に入れたボトルなどの重たい物品がカートの牽引走行中に移動してしまい、整然とした詰め込み状態を保てないばかりでなく、ボトルなどの重たい物品や缶ケースなどの硬い物品の移動で潰れやすい食料品などが潰れてしまう弊害がある。
【０００４】
また、一つの出し入れ口から一つの収納部に買物した種々な物品を詰め込むようにした従来のショッピングカートでは、買物した種々な物品をバッグ内の所定位置に整然とした詰め込み状態に詰め込む作業が困難である。
【先行技術文献】
【特許文献】
【０００５】
【特許文献１】特開２００６−１６０２３２号公報
【考案の概要】
【考案が解決しようとする課題】
【０００６】
本考案は、このような実情に鑑み、例えば、ボトルなどの重たい物品と、潰れやすい食料品などを上下に分けてバッグ内に整然とした詰め状態で収納できるショッピングカートを提供することを主な目的とする。これによって、例えば、ボトルなどの重たい物品はバッグの下側に分けて収納し、バッグの重心を低くしてカート移動を容易にし、潰れやすい食料品などはバッグの上側に分けて収納し、潰れやすい食料品などが特にカートの牽引走行中に潰れないようにしようとするものである。
【０００７】
しかも、買物した種々な物品を分けて収納する詰め込み作業が極めて容易なショッピングカートを提供することを主な目的とする。
【課題を解決するための手段】
【０００８】
前記した課題を解決するため、本考案（請求項１の考案）は、バッグの下部に該バッグを走行させる複数のホイール（車輪）を設け、バッグの上部に該バッグをホイール走行で牽引可能とする持ち手部を設けたショッピングカートであり、前記バッグが、略方形の底面部と、この底面部を囲む四面の側面部をもち、上面を全面開口した開口上面部とした柔軟素材から成る下段バッグ部と、この下段バッグ部の前記開口上面部と相対する略同形の底面を有する底面部と、この底面部を囲む四面の側面部と、四面の側面部の上面を覆う上面部をもつ柔軟素材から成る上段バッグ部から成り、前記下段バッグ部の開口上面部の開口縁部と前記上段バッグ部の底面部の縁部を相対する一側辺の縁部において屈曲自在に連結し、この連結部を支点として下段バッグ部の開口上面部に対して上段バッグ部の底面部を反転可能な構成とし、この連結部を除いた下段バッグ部の開口上面部の開口周縁部と上段バッグ部の底面部の相対する周縁部に該周縁部を開閉可能とする第一スライドファスナーを周縁方向に沿って装着し、前記上段バッグ部に該上段バッグ部内に物品を出し入れする物品出し入れ口を形成し、この物品出し入れ口を第二スライドファスナーで開閉可能な構成とした、ショッピングカートを提供する。
【０００９】
本考案のショッピングカートの使用に際しては、先ず、第一スライドファスナーを全開し、この連結部を支点として下段バッグ部の開口上面部から上段バッグ部の底面部を離間方向に反転させ、下段バッグ部の開口上面部を広い開放状態にする。例えば、ボトルなどの重たい物品は、この広く開放された開口上面部から下段バッグ部内に詰め込む。下段バッグ部内への物品の詰め込み完了後、上段バッグ部を下段バッグ部の上に戻し、第一スライドファスナーを閉じ、上段バッグ部の第二スライドファスナーを開け、開けられた物品出し入れ口から上段バッグ部内に、例えば、潰れやすい食料品などを詰め込む。このように、本考案のショッピングカートによれば、買物した物品を物品の特性（重さ・硬さ・壊れやすさ・潰れやすさ、等）に応じて下段バッグ部と上段バッグ部に分けて収納できる。ボトルなどの重たい物品は下段バッグ部内に、卵やイチゴなど潰れやすい食料品などは上段バッグ部内に分けて収納すれば、下段バッグ部内の重たい物品でバッグの重心を低くでき、ショッピングカートの牽引移動が容易であり、卵やイチゴなど潰れやすい食料品などを潰すことなく安定した収納状態で牽引移動できる。
【００１０】
また、本考案のショッピングカートによれば、連結部を支点として下段バッグ部の開口上面部から上段バッグ部の底面部を離間方向に反転させることによって、下段バッグ部の開口上面部を広く開放できるため、下段バッグ部への詰め込み作業が極めて容易に行える利点がある。
【００１１】
また、本考案（請求項２の考案）は、前記下段バッグ部は開口上面部を上にした物品収納可能な態様でレジかご内に着脱自在に組み入れられる大きさに形成したショッピングカートを提供する。
【００１２】
このように、下段バッグ部をスーパーマーケット等に置いてあるレジかご内に着脱自在に組み入れられる大きさに形成した本考案のショッピングカートによれば、下段バッグ部内への物品の詰め込み作業は、下段バッグ部をレジかご内に組み入れセットして行うと便利である。下段バッグ部内への物品の詰め込みは、前記したように、連結部を支点として下段バッグ部の開口上面部から上段バッグ部の底面部を離間方向に反転させた状態で行われると共に、レジかご内に入れられた下段バッグ部は開口上面部を上にした物品収納可能な態様に保持でき、下段バッグ部の開口上面部を広く開放した態様に保持できるため、下段バッグへの整然とした詰め込み作業を極めて容易に行える効果がある。また、スーパーなどで会計する際に、レジかごに入れた会計前の商品を直接レジかご内に入れた下段バッグ部内に会計しながら詰め込み作業を行うことも可能であり、下段バッグ部内への物品の詰め込み作業を省力化できる。
【００１３】
また、本考案（請求項３の考案）は、前記上段バッグ部の物品出し入れ口が、前記連結部とは反対側の上段バッグ部の一側面部を逆Ｕ字状の開口縁部に沿って全開又は半開の上開け状態に開閉できる構成としたショッピングカートを提供する。
【００１４】
また、本考案（請求項４の考案）は、前記下段バッグ部の内側面を保冷シート材で形成すると共に、上段バッグ部の底面部の外側面を保冷シート材で形成したショッピングカートを提供する。このショッピングカートによれば、第一スライドファスナーを閉じた状態では、下段バッグ部の全内側面が保冷シート材で密閉されるため、冷えた飲料ボトルや要冷蔵の牛乳パックなどを収納するのに適している。もちろん、上段バッグ部の内側面も保冷シート材で形成することができる。
【００１５】
また、本考案（請求項５の考案）は、前記連結部とは反対側の下段バッグ部の一側面部の下部に雄又は雌の第一留め具を取付け、前記連結部とは反対側の上段バッグ部の一側面部の上部に帯状片の一端部を固着し、この帯状片の自由端部に前記第一留め具に着脱可能に留められる雄又は雌の第二留め具を取付けたショッピングカートを提供する。このショッピングカートによれば、柔軟素材から成るバッグ（下段バッグ部と上段バッグ部）を折り畳み、折り畳まれたバッグを前記留め具で留めることによって、折り畳み形態に保持でき、使わない時はコンパクトな折り畳み形態に保持できる。
【００１６】
また、本考案（請求項６の考案）は、前記ホイール（車輪）を前記バッグの底部下面に取付けると共に、前記バッグの底部下面に前記ホイールと協働して該バッグを自立可能とするスタンド部を設け、このホイールとスタンド部がホイール及びスタンド部として機能する起立状態から前記バッグの底部下面に向けて倒せる折り畳み可能な構成としたショッピングカートを提供する。
【００１７】
このショッピングカートによれば、ホイールとスタンド部を前記バッグの底部下面に向けて倒して折り畳んでおけば、ショッピングカートを更にコンパクトな折り畳み形態に折り畳む事ができる。また、下段バッグ部をレジかご内に入れる場合、下段バッグ部の底面部の下面とレジかごの底部との間の隙間を小さくできる。
【考案の効果】
【００１８】
本考案のショッピングカートによれば、前述したように、買物した物品を物品の特性（重さ・硬さ・壊れやすさ・潰れやすさ、等）に応じて下段バッグ部と上段バッグ部に分けて収納できる。例えば、ボトルなどの重たい物品は下段バッグ部内に、卵やイチゴなど潰れやすい食料品などは上段バッグ部内に分けて収納すれば、下段バッグ部内の重たい物品でバッグの重心を低くでき、ショッピングカートの牽引移動が容易であり、卵やイチゴなど潰れやすい食料品などを潰すことなく安定した収納状態で牽引移動できる。しかも、本考案のショッピングカートによれば、連結部を支点として下段バッグ部の開口上面部から上段バッグ部の底面部を離間方向に反転させることによって、下段バッグ部の開口上面部を広く開放できるため、下段バッグ部への詰め込み作業が極めて容易に行える利点がある。
【図面の簡単な説明】
【００１９】
【図１】本考案のショッピングカートの使用態様を示した斜面図である。
【図２】本考案のショッピングカートの使用態様を示した斜面図である。
【図３】本考案のショッピングカートの折り畳み形態を示した斜面図である。
【考案を実施するための形態】
【００２０】
本考案に係るショッピングカートの実施形態を図１〜図３に基づき説明する。本考案のショッピングカート１は、バッグ２の下部（底部下面）に該バッグを走行させる複数のホイール（車輪）３を取付け、バッグ２の上部に該バッグをホイール走行で牽引可能とする持ち手部４を設けてあり、前記バッグ２を、略方形の底面部５Ａと、この底面部を囲む四面の側面部５Ｂをもち、上面を全面開口した開口上面部５Ｃとしたポリエステル繊維などの柔軟素材から成る下段バッグ部５と、この下段バッグ部５の前記開口上面部５Ｃと相対する略同形の底面を有する底面部６Ａと、この底面部６Ａを囲む四面の側面部６Ｂと、四面の側面部６Ｂの上面を覆う上面部６Ｃをもつポリエステル繊維などの柔軟素材から成る上段バッグ部６で構成し、前記下段バッグ部５の開口上面部５Ｃの開口縁部と前記上段バッグ部６の底面部６Ａの縁部を相対する一側辺の縁部において屈曲自在に連結７し、この連結部７を支点として下段バッグ部５の開口上面部５Ｃに対して上段バッグ部６の底面部６Ａを反転可能（図１の矢印を参照）な構成とし、この連結部７を除いた下段バッグ部５の開口上面部５Ａの開口周縁部と上段バッグ部６の底面部６Ａの相対する周縁部に該周縁部を開閉可能とする第一スライドファスナー８を周縁方向に沿って装着し、前記上段バッグ部６に該上段バッグ部内に物品を出し入れする物品出し入れ口９を形成し、この物品出し入れ口９を第二スライドファスナー１０で開閉可能な構成としたものである。
【００２１】
このショッピングカート１の使用に際しては、先ず、第一スライドファスナー８を全開し、連結部７を支点として下段バッグ部５の開口上面部５Ｃから上段バッグ部６の底面部６Ａを離間方向に反転させ、下段バッグ部５の開口上面部５Ｃを広い開放状態にする（図１参照）。例えば、ボトルなどの重たい物品は、この広く開放された開口上面部５Ｃから下段バッグ部５内に詰め込む。下段バッグ部５内への物品の詰め込み完了後、上段バッグ部６を下段バッグ部５の上に戻し、第一スライドファスナー８を閉じ、上段バッグ部６の第二スライドファスナー１０を開け（図２参照）、開けられた物品出し入れ口９から上段バッグ部６内に、例えば、潰れやすい食料品などを詰め込み、第二スライドファスナー１０を閉じる。
【００２２】
前記持ち手部４は、図示したように、柔軟素材から成る一対の手提げ仕様のものを、上段バッグ部６の上部に取り付けて構成してある。持ち手部４を柔軟素材から成る手提げ仕様のものにしたことによって、前記した上段バッグ部６の反転も容易であり、後述するカートの折り畳みも容易である。
【００２３】
前記下段バッグ部５は、開口上面部５Ｃを上にした物品収納可能な態様でレジかご内に着脱自在に組み入れられセットされる大きさに形成してある。このレジかごは、図示してないが、食品スーパー等で一般的に使用されているもので、方形の底部と、この底部を囲む四面の側部をもち、上面を底部よりやや広く矩形に開口した、プラスチック製のかごである。
【００２４】
前記上段バッグ部６の物品出し入れ口９は、前記連結部７とは反対側の上段バッグ部６の一側面部６Ｂを逆Ｕ字状の開口縁部に沿って全開又は半開の上開け状態に構成（図示した実施例では半開の上開け状態に構成してある。）し、この物品出し入れ口９の逆Ｕ字状の開口縁部に沿って第二スライドファスナー１０を装着し、この第二スライドファスナー１０で物品出し入れ口９を開閉できるようにしてある。
【００２５】
この実施例のホイール３は一方向に走行するホイールであり、このホイール３の走行方向に前記連結部７を設け、この連結部７とは反対側の上段バッグ部６の一側面部６Ｂに前記物品出し入れ口９を形成してある。
【００２６】
前記下段バッグ部５の内側面を保冷シート材で形成すると共に、上段バッグ部６の底面部６Ａの外側面を保冷シート材で形成してある。また、上段バッグ部６の内側面も保冷シート材で形成してある。この保冷シート材としては、例えば、ポリウレタンアルミニュームを用いることができる。第一スライドファスナー８を閉じた状態では、下段バッグ部５の全内側面が保冷シート材で密閉されるため、牛乳や冷えた飲料ボトル等を詰めるのに適している。
【００２７】
また、前記連結部７とは反対側の下段バッグ部５の一側面部５Ｂの下部に雄又は雌の第一留め具（この実施例では雄のホック）１１を取付け、前記連結部７とは反対側の上段バッグ部６の一側面部６Ｂの上部に帯状片１２の一端部を固着し、この帯状片１２の自由端部に前記第一留め具１１に着脱可能に留められる雄又は雌の第二留め具（この実施例では雌のホック）１３を取付けてある。
【００２８】
本考案のバッグ２（下段バッグ部５と上段バッグ部６）と前記持ち手部４は、折り畳み可能な柔軟材で構成してある。図３に示したように、下段バッグ部５と上段バッグ部６をそれぞれ略扁平に折り畳み、扁平に折り畳まれた下段バッグ部５と上段バッグ部６を連結部７が内側になるようにして折り返し、バッグ全体をコンパクトな折り畳み形態に折り畳む。この折り畳み形態で、第一留め具１１（実施例では雄のホック）に図３に一点鎖線で示したように、帯状片１２の自由端部に取付けてある第二留め具１３（実施例では雌のホック）を留め、この折り畳み状態を保持できるようにしてある。これによって、使わない時はショッピングカートをコンパクトな折り畳み形態に保持できるようにしてある。
【００２９】
なお、下段バッグ部５の第一留め具１１（実施例ではホック）を取付けてある側面部５Ｂと同じ側面部５Ｂの上部に帯状の手提げ部１５を縫着し、この手提げ部１５でコンパクトな折り畳み形態に保持されたショッピングカート１を携行できるようにしてある（図３参照）。
【００３０】
また、前記ホイール（車輪）３を前記バッグ２（下段バッグ部５）の底部下面に取付けると共に、前記バッグ２（下段バッグ部５）の底部下面に前記ホイール３と協働して該バッグを自立可能とするスタンド部１６を設け、このホイール３とスタンド部１６がホイール及びスタンドとして機能する起立状態から前記バッグ２（下段バッグ部５）の底部下面に向けて倒せる折り畳み可能な構成としてある。
【００３１】
ホイール３とスタンド部１６の折り畳み構造について説明する。図３に破線でその概略構造を示したように、ロッドの両端を略コ字状に屈曲し、一方の屈曲部にホイール３を回転自在に取付け、他方の屈曲部をスタンド部１６として形成し、中間の軸部がバッグ２の底部下面に固定された保持体１８に回動自在に保持され、よってホイール３とスタンド部１６が前記保持体１８に起倒可能に保持されている。前記保持体１８には係止溝（図示してない。）を形成してあり、この係止溝にホイール側の屈曲部を嵌入することによってホイール３とスタンド部１６を起立状態に固定できるようにしてある。前記保持体１８内には前記係止溝にホイール側の屈曲部を嵌入する方向にバネ圧が付勢されたバネ（図示してない。）が装着されている。このバネのバネ圧に抗してホイール側の屈曲部を係止溝から外れる位置まで押し、この外れた位置でホイール３とスタンド部１６をバッグ２の底部下面に向けて折り畳める構造としてある。
【００３２】
なお、図示したようなホイール（車輪）３に換え、キャスターと称する比較的小さなホイール（車輪）をバッグ２の底部下面の四方に取付けても良い。この場合、図示したようなスタンド部は不要である。
【００３３】
なお、図示してないが、下段バッグ部５の底面部５Ａの上面に硬いプラスチック材などから成る底板を配設し、この底板を、下段バッグ部５内に収納した重たい物品を支持するための底面部５Ａの補強と、ホイール３などを底部下面に取付けるための取付け体として機能させている。
【符号の説明】
【００３４】
１  ショッピングカート
２  バッグ
３  ホイール
４  持ち手部
５  下段バッグ部
５Ｃ  下段バッグ部の開口上面部
６  上段バッグ部
６Ａ  上段バッグ部の底面部
７  連結部
８  第一スライドファスナー
９  上段バッグ部の物品出し入れ口
１０  第二スライドファスナー
１１  第一留め具（ホック）
１２  帯状片
１３  第二留め具（ホック）
１５  手提げ部
１６  スタンド部
【図１】
0003177257.tif 000003
【図２】
0003177257.tif 000004
【図３】
0003177257.tif 000005